(57)【要約】【課題】フィルタがケーシングから外れないようにするとともに、フィルタをケーシングに強固に固定してフィルタの位置ずれを抑制する。【解決手段】フィルタ１０の係合孔１２に上側ケーシング部材３０の係合凸部３５が挿入された状態で係合するので、フィルタ１０が外れないようにすることができる。下側ケーシング部材４０の溶着部４２ｃを、フィルタ１０の外周側及び上側ケーシング部材３０の係合凸部３５の少なくとも一方に溶着するようにしたので、フィルタ１０をケーシング３に強固に固定することができ、フィルタ１０の位置ずれを抑制できる。【選択図】図９
2016114026.tif 000002
【特許請求の範囲】
【請求項１】
オイルを濾過するためのフィルタ（１０）と、
上記フィルタ（１０）を収容するとともに、オイル流入孔（４１ａ）及びオイル流出孔（３３ｃ）が形成されたケーシング（３）とを備え、
上記オイル流入孔（４１ａ）から上記ケーシング（３）内部に流入したオイルを上記フィルタ（１０）によって濾過した後、上記オイル流出孔（３３ｃ）から流出させるように構成されたオイルストレーナ（１）において、
上記ケーシング（３）は、第１ケーシング部材（３０）と第２ケーシング部材（４０）とを有し、
上記フィルタ（１０）の外周側には、係合孔（１２）が形成され、
上記第１ケーシング部材（３０）における上記第２ケーシング部材（４０）側の面には、上記フィルタ（１０）の上記係合孔（１２）に挿入されて係合する係合凸部（３５）と、該係合凸部（３５）よりも外側に配置された第１溶着部（３２ｃ）とが設けられ、
上記第２ケーシング部材（４０）における上記第１ケーシング部材（３０）側の面には、上記第１溶着部（３２ｃ）に溶着され、かつ、上記フィルタ（１０）の外周側及び上記係合凸部（３５）の少なくとも一方に溶着される第２溶着部（４２ｃ）が設けられていることを特徴とするオイルストレーナ（１）。
【請求項２】
請求項１に記載のオイルストレーナ（１）において、
上記フィルタ（１０）の外周側には、上記第１ケーシング部材（３０）の上記係合凸部（３５）が挿入される凹部（１５）が形成され、該凹部（１５）内に上記係合孔（１２）が形成されていることを特徴とするオイルストレーナ（１）。
【請求項３】
請求項１に記載のオイルストレーナ（１）において、
上記フィルタ（１０）の外周側には、上記第１ケーシング部材（３０）の上記係合凸部（３５）が挿入される筒部（１８）が上記第２ケーシング部材（４０）側へ突出するように形成され、該筒部（１８）の先端部は開口され、該筒部（１８）内に上記係合孔（１２）が形成されていることを特徴とするオイルストレーナ（１）。
【発明の詳細な説明】
【技術分野】
【０００１】
本発明は、オイルを濾過するためのオイルストレーナに関するものである。
【背景技術】
【０００２】
従来より、この種のオイルストレーナは、例えば特許文献１、２に開示されているように、オイルを濾過するためのフィルタと、フィルタを収容するケーシングとを備えており、ケーシングのオイル流入孔からケーシング内に流入したオイルをフィルタによって濾過した後、ケーシングのオイル流出孔から流出させるように構成されている。オイルストレーナのケーシングは、上側部材と下側部材とが接合されたものであり、上側部材の周縁部と下側部材の周縁部とでフィルタの周縁部を挟持するようにしている。
【０００３】
特許文献１のオイルストレーナでは、フィルタの周縁部に、上方へ突出するように略直角に屈曲した屈曲部が設けられている。ケーシングの上側部材の周縁部には、フィルタの屈曲部が差し込まれる溝が形成されている。フィルタは、その屈曲部が上側部材の溝に差し込まれた状態で上側部材と下側部材とで挟持されている。
【０００４】
また、特許文献２のオイルストレーナでは、フィルタの周縁部に、フィルタの内側へ向けて折り返された折り返し部が設けられている。ケーシングの上側部材の周縁部には、下方へ突出する上側突条部が形成され、また、下側部材の周縁部には、上方へ突出する下側突条部が形成されており、これら上側突条部及び下側突条部の先端部が一致するようになっている。フィルタは、折り返し部が上側突条部及び下側突条部よりも外側に位置した状態で、上側突条部と下側突条部とで挟持されている。
【先行技術文献】
【特許文献】
【０００５】
【特許文献１】特許第３４６９３４９号公報
【特許文献２】特許第４７９３４００号公報
【発明の概要】
【発明が解決しようとする課題】
【０００６】
ところで、オイルを濾過する際には、オイルがフィルタを通過することになるのであるが、このとき、フィルタがオイル流れ方向下流側へ向かう力を受ける。また、オイルには脈動が生じていることがあり、この場合にはフィルタに対するオイル流れ方向下流側へ向かう力がより一層大きくなる懸念がある。
【０００７】
特許文献１では、フィルタの周縁部に設けた屈曲部を上側部材の溝に挿入しているが、フィルタ自体は薄くて変形しやすいものであるため、屈曲部も変形しやすくなっていると考えられる。したがって、オイル流れ方向下流側へ向かう力を受けたフィルタは、その周縁部が上側部材と下側部材との間から抜けてしまう恐れがある。
【０００８】
また、特許文献２では、フィルタの折り返し部を上側突条部及び下側突条部よりも外側に位置付けただけであってオイルの脈動等によってフィルタにガタつき等が発生する懸念がある。
【０００９】
本発明は、かかる点に鑑みてなされたものであり、その目的とするところは、フィルタがケーシングから外れないようにするとともに、フィルタをケーシングに強固に固定してフィルタの位置ずれを抑制することにある。
【課題を解決するための手段】
【００１０】
上記目的を達成するために、第１の発明は、
オイルを濾過するためのフィルタと、
上記フィルタを収容するとともに、オイル流入孔及びオイル流出孔が形成されたケーシングとを備え、
上記オイル流入孔から上記ケーシング内部に流入したオイルを上記フィルタによって濾過した後、上記オイル流出孔から流出させるように構成されたオイルストレーナにおいて、
上記ケーシングは、第１ケーシング部材と第２ケーシング部材とを有し、
上記フィルタの外周側には、係合孔が形成され、
上記第１ケーシング部材における上記第２ケーシング部材側の面には、上記フィルタの上記係合孔に挿入されて係合する係合凸部と、該係合凸部よりも外側に配置された第１溶着部とが設けられ、
上記第２ケーシング部材における上記第１ケーシング部材側の面には、上記第１溶着部に溶着され、かつ、上記フィルタの外周側及び上記係合凸部の少なくとも一方に溶着される第２溶着部が設けられていることを特徴とする。
【００１１】
この構成によれば、第１ケーシング部材の第１溶着部が第２ケーシング部材の第２溶着部に溶着されることでケーシングが構成される。このとき、フィルタの係合孔に第１ケーシング部材の係合凸部が挿入された状態で係合している。また、第１溶着部がフィルタの外周側または係合凸部に溶着しているので、フィルタがケーシングから外れることはない。さらに、第２ケーシング部材の第２溶着部を、フィルタの外周側及び第１ケーシング部材の係合凸部の少なくとも一方に溶着するので、フィルタがケーシングに強固に固定される。
【００１２】
第２の発明は、第１の発明において、
上記フィルタの外周側には、上記第１ケーシング部材の上記係合凸部が挿入される凹部が形成され、該凹部内に上記係合孔が形成されていることを特徴とする。
【００１３】
この構成によれば、第１ケーシング部材の係合凸部が、フィルタの凹部に挿入された状態でフィルタにおける凹部を形成する部分によって覆われることになる。よって、未濾過のオイルが第１ケーシング部材の係合凸部近傍に流れてきた際に、そのオイルをフィルタにおける凹部を形成する部分によって濾過することが可能になるので、未濾過のまま下流側へ流れてしまうのが抑制される。
【００１４】
第３の発明は、第１の発明において、
上記フィルタの外周側には、上記第１ケーシング部材の上記係合凸部が挿入される筒部が上記第２ケーシング部材側へ突出するように形成され、該筒部の先端部は開口され、該筒部内に上記係合孔が形成されていることを特徴とする。
【００１５】
この構成によれば、第１ケーシング部材の係合凸部がフィルタの筒部に挿入されることでフィルタの外れが抑制される。第１ケーシング部材と第２ケーシング部材を溶着する際、フィルタも加熱されるが、このときフィルタの筒部における先端部が開口していて、フィルタの網目部分がない状態であるため、加熱時に網目部分の破れを抑制することが可能になる。
【発明の効果】
【００１６】
第１の発明によれば、フィルタの係合孔に第１ケーシング部材の係合凸部が挿入された状態で係合するので、フィルタが外れないようにすることができる。また、第２ケーシング部材の第２溶着部を、フィルタの外周側及び第１ケーシング部材の係合凸部の少なくとも一方に溶着するようにしたので、フィルタをケーシングに強固に接合することができ、フィルタの位置ずれを抑制できる。
【００１７】
第２の発明によれば、フィルタの外周側に、第１ケーシング部材の係合凸部が挿入される凹部を形成したので、オイルが未濾過のままケーシングの下流側へ流れるのを抑制することができる。
【００１８】
第３の発明によれば、フィルタの外周側には、第１ケーシング部材の係合凸部が挿入される筒部を形成し、該筒部の先端部を開口させ、係合凸部が筒部内に形成されるようにしたので、溶着時に筒部と係合凸部が第２溶着部によって溶着されて、筒部の先端開口を塞ぐことができ、また、第１ケーシング部材にフランジを設けた場合には、フィルタ外周をフランジに押し付けることができるので、フィルタとフランジとの隙間からオイルが未濾過のままケーシングの下流側へ流れるのを抑制することができる。また、フィルタの網目部分の破れを抑制することができる。
【図面の簡単な説明】
【００１９】
【図１】実施形態に係るオイルストレーナを上方から見た斜視図である。
【図２】実施形態に係るオイルストレーナを下方から見た斜視図である。
【図３】上側ケーシング部材を下方から見た斜視図である。
【図４】フィルタを下方から見た斜視図である。
【図５】フィルタを保持した状態の上側ケーシング部材を下方から見た斜視図である。
【図６】下側ケーシング部材を上方から見た斜視図である。
【図７】図３におけるVII−VII線断面図である。
【図８】下側ケーシング部材の組付要領を示す図７相当図である。
【図９】下側ケーシング部材の組付要領を示す拡大断面図である。
【図１０】図３におけるVII−VII線に相当するオイルストレーナの断面図である。
【図１１】変形例１に係る図９相当図である。
【図１２】変形例２に係る図９相当図である。
【図１３】変形例３に係る図９相当図である。
【図１４】変形例４に係る図９相当図である。
【図１５】変形例５に係る図９相当図である。
【図１６】変形例６に係る図９相当図である。
【発明を実施するための形態】
【００２０】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２１】
図１は、本発明の実施形態に係るオイルストレーナ１を上方から見た斜視図である。このオイルストレーナ１は、例えば自動車等の車両に搭載されたエンジンのオイルパン（図示せず）の内部に配設され、オイルパンに貯留されているオイルを濾過してオイルポンプ（図示せず）に供給するためのものである。尚、オイルストレーナ１は、例えば車両の自動変速機のオイルパン（図示せず）の内部に配設することもできる。
【００２２】
この実施形態の説明では、使用状態においてオイルが流出する側を手前側といい、その反対側を奥側というものとする。また、使用状態のオイルストレーナ１を手前側から見たとき、左に位置する側を「左」といい、右に位置する側を「右」というものとする。
【００２３】
オイルストレーナ１は、オイルを濾過するためのフィルタ１０と、フィルタ１０を収容するとともに、オイル流入孔４１ａ及びオイル流出孔３３ｃが形成されたケーシング３とを備えている。ケーシング３は、上下方向の中間部において２つに分割されており、フィルタ１０を挟持するように配置される上側ケーシング部材（第１ケーシング部材）３０と下側ケーシング部材（第２ケーシング部材）４０とを有している。
【００２４】
ケーシング３の本体部分は、上方から見て略矩形状に近い形状とされている。ケーシング３は、奥行き方向（ケーシング３内におけるオイル流れ方向）の寸法が左右方向の寸法に比べて長く設定されている。ケーシング３の形状は、上記した形状に限られるものではなく、左右方向の寸法が奥行き方向の寸法に比べて長い形状であってもよいし、細長い形状であってもよい。
【００２５】
上側ケーシング部材３０は、上壁部３１と、上壁部３１の周縁部から下方へ延びる上側周壁部３２と、オイル流出管部３３とを有しており、上壁部３１、上側周壁部３２及びオイル流出管部３３は樹脂材により一体成形されている。上壁部３１の左側は右側に比べて上に位置するように形成されている。手前側に位置する上側周壁部３２には、右側の部分から手前側へ向けて膨出する膨出部３２ａが形成されている。この膨出部３２ａの内部にはオイルが流入するようになっている。膨出部３２ａの内部は、オイル流出管部３３の上流側に連通している。
【００２６】
上側ケーシング部材３０の手前側における左側の部分には、手前側へ突出するようにオイル流出管部３３が設けられている。オイル流出管部３３の外周面には、先端部に第１突条部３３ａが形成され、該第１突条部３３ａから基端側に離れた部位には第２突条部３３ｂが形成されている。第１突条部３３ａ及び第２突条部３３ｂは、オイル流出管部３３の全周に亘って延びており、第１突条部３３ａと第２突条部３３ｂとの間には図示しないがＯリングの様なシール部材が配設されるようになっている。
【００２７】
オイル流出管部３３の内部には、ケーシング３の内部の濾過後のオイルを流出させるためのオイル流出孔３３ｃが形成されている。オイル流出孔３３ｃの上流側は、ケーシング３の内部においてフィルタ１０よりも下流側、即ち、濾過後のオイルが流通する部分に連通している。また、オイル流出管部３３の先端側は、図示しないがエンジンのシリンダブロックに設けられたオイル吸入孔に差し込まれるようになっており、この状態でオイル流出孔３３ｃの下流側がオイル吸入孔に接続された状態となる。
【００２８】
図３にも示すように、上側ケーシング部材３０の上側周壁部３２の下端部には、水平方向に延びる上側フランジ３２ｂが形成されている。上側フランジ３２ｂは、上側周壁部３２の全周に亘って形成されている。上側フランジ３２ｂは、上側ケーシング部材３０の左右両側及び奥側ではケーシング３０の外方へ延出する板状をなしているが、上側ケーシング部材３０の手前側ではケーシング３０の外方へ延出しないように形成されている。また、オイル流出管部３３の下端部は、上側フランジ３２ｂよりも下に位置付けられている。尚、図３は、上側ケーシング部材３０を上下反対にして見た斜視図であって、上側ケーシング部材３０の下方から見ている。
【００２９】
上側フランジ３２ｂの手前側は、その右側が左側に比べて手前側に位置するように屈曲している。上側フランジ３２ｂの下面（下側ケーシング部材４０側の面）には、その外周側に上側溶着用突条部（第１溶着部）３２ｃが設けられている。上側溶着用突条部３２ｃは、上側フランジ３２ｂの下面から下方へ突出し、全周に亘って延びている。上側溶着用突条部３２ｃの断面形状は略矩形状である。上側フランジ３２ｂの下面には、上側溶着用突条部３２ｃの形成によってその内側に段部３２ｄが形成されることになる。
【００３０】
さらに、上側フランジ３２ｂの下面には、上側溶着用突条部３２ｃよりも内周側に、複数の係合凸部３５、３５、…と、複数の係合爪部３６、３６、…とが設けられている。つまり、係合凸部３５よりも外側に上側溶着用突条部３２ｃが配置されることになる。係合凸部３５、３５、…は、上側フランジ３２ｂの下面から突出する円柱形状をなしており、上側フランジ３２ｂの周方向に互いに間隔をあけて配置されている。図９に示すように、係合凸部３５の突出長さは、上側溶着用突条部３２ｃの突出長さよりも短く設定されている。
【００３１】
係合爪部３６も上側フランジ３２ｂの周方向に互いに間隔をあけて配置されている。各係合爪部３６は、上側フランジ３２ｂの下面から突出する基部３６ａと、基部３６ａの下端部に一体成形された突起部３６ｂとで構成されている。基部３６ａの幅は突起部３６ｂの幅よりも狭く設定されている。突起部３６ｂは、基部３６ａよりも上側フランジ３２ｂの内側、即ち、ケーシング３の内側へ突出している。突起部３６ｂの下面は、ケーシング３の内側へ行くほど上に位置するように傾斜している。
【００３２】
上側ケーシング部材３０の上壁部３１の内面には、上側棒状部３４が設けられている。上側棒状部３４は、上壁部３１の内面において奥側寄りの部位から下方へ突出している。図８や図１０に示すように、上側棒状部３４の下端部はケーシング３の上下方向中央部近傍に位置しており、この下端部には、他の部位に比べて小径に形成された小径部３４ａが設けられている。
【００３３】
図４に示すように、フィルタ１０は、樹脂製または金属製で平板状に形成されている。樹脂製のフィルタ１０の場合は、例えば、樹脂材を射出成形してなるものであり、周囲には枠となる部分が無い。フィルタ１０は、例えば該フィルタ１０よりも大きな板状の網を、打ち抜き加工することによって得ることができる。これにより、１枚の板状の網を成形すれば、その網から複数のフィルタ１０を得ることができるので生産効率が向上する。フィルタ１０の外形状は、上側フランジ３２ｂの上側溶着用突条部３２ｃの内形状と略一致している。フィルタ１０は、段部３２ｄの内側に嵌まるようになっている。この実施形態では、フィルタ１０の厚み寸法は、係合凸部３５の突出長さと同じであるが、図１１に示す変形例１のように係合凸部３５の突出長さを長くして、フィルタ１０の下面よりも係合凸部３５の下端部を下に位置付けるようにしてもよい。
【００３４】
また、樹脂材を射出成形する際に、同時に係合孔１２を形成した樹脂製のフィルタ１０を用いてもよい。また、金属製のフィルタ１０の場合は、上記と同様に大きな板状の網を、打ち抜き加工することによって得ることができる。
【００３５】
フィルタ１０は、縦横に延びる複数の補強部１１、１１、…を有している。補強部１１は、細長い中実部分であり、手前側から奥側へ延びるものと左右方向に延びるものとがあり、互いに交差している。尚、補強部１１は網目部分から突出するリブであってもよい。
【００３６】
フィルタ１０の外周側には、複数の係合孔１２、１２、…が形成されている。係合孔１２は、上側ケーシング部材３０の係合凸部３５、３５、…の形成位置に対応しており、フィルタ１０を厚み方向に貫通するように形成されている。係合孔１２の形状は、係合凸部３５の断面形状と略同じ例えば円形である。係合凸部３５は、係合孔１２に挿入されて該係合孔１２の周縁部に係合するようになっている。
【００３７】
また、フィルタ１０の外周側には、複数の爪挿入孔１３、１３、…が形成されている。爪挿入孔１３は、上側ケーシング部材３０の係合爪部３６の形成位置に対応しており、フィルタ１０を厚み方向に貫通するように形成されている。爪挿入孔１３の形状は、略矩形状であり、係合爪部３６の突起部３６ｂよりも若干小さめに設定されており、突起部３６ｂや爪挿入孔１３の周縁部が弾性変形することにより、係合爪部３６の突起部３６ｂが爪挿入孔１３に挿入可能となっている。係合爪部３６の突起部３６ｂは、爪挿入孔１３に挿入した状態でフィルタ１０の下面に位置して下方からフィルタ１０に係合するようになっている。
【００３８】
また、フィルタ１０には、貫通孔１４が形成されている。この貫通孔１４には、上側棒状部３４の小径部３４ａが挿入するようになっている。フィルタ１０は、上側棒状部３４によって上方から支持される。
【００３９】
図６に示すように、下側ケーシング部材４０は、下壁部４１と、下壁部４１の周縁部から上方へ延びる下側周壁部４２とを備えており、下壁部４１及び下側周壁部４２は、樹脂材により一体成形されている。下壁部４１の奥側には、ケーシング３の内部にオイルを流入させるためのオイル流入孔４１ａが形成されている。図２に示すように、オイル流入孔４１ａの周縁部は、下方へ突出するように形成されており、オイルパンの底壁部近傍に配置される。
【００４０】
下側周壁部４２の上側には、複数の膨出部４２ａ、４２ａ、…が形成されている。膨出部４２ａの形成位置は、係合爪部３６の配設位置と対応していて、係合爪部３６の突起部３６ｂが膨出部４２ａの内部に収容されるようになっている。
【００４１】
下側周壁部４２の上端部には、上側フランジ３２ｂと略平行に延びる下側フランジ４２ｂが形成されている。平面視において、下側フランジ４２ｂと上側フランジ３２ｂとが重なるように形成されている。下側フランジ４２ｂの上面には、下側溶着部（第２溶着部）４２ｃが一段高く形成されていて、外周側が内周側よりも高くなるように傾斜している。下側溶着部４２ｃの幅は、上側溶着用突条部３２ｃの幅よりも内側に広く設定されている。よって、下側溶着部４２ｃにおける外周側は、下側フランジ４２ｂの全周に亘って設けられており、上側溶着用突条部３２ｃに対して確実に溶着されるようになっている。また、下側溶着部４２ｃにおける内周側は、フィルタ１０の外周側及び係合凸部３５に溶着されるようになっている。尚、下側溶着部４２ｃにおける内周側は、フィルタ１０の外周側に溶着し、係合凸部３５には溶着しないようにしてもよいし、係合凸部３５に溶着し、フィルタ１０の外周側には溶着しないようにしてもよい。
【００４２】
また、下側溶着部４２ｃは、外周側と内周側とが同じ高さであってもよい。
【００４３】
下側ケーシング部材４０の下壁部４１の内面には、下側棒状部４３が設けられている。下側棒状部４３は、下壁部４１の内面において奥側寄りの部位から下方へ突出している。図８や図１０に示すように、下側棒状部４３の上端部はケーシング３の上下方向中央部近傍に位置しており、この上端部には、フィルタ１０の下面が当接するようになっている。フィルタ１０は、下側棒状部４３によって下方から支持される。
【００４４】
次に、上記のように構成されたオイルストレーナ１の組み立て要領について説明する。まず、図５及び図１１に示すように、フィルタ１０を上側ケーシング部材３０に組み付ける。この場合、上側ケーシング部材３０の下側が上に位置するように、上側ケーシング部材３０を上下反転させておくのが好ましい。上下反転させた上側ケーシング部材３０にフィルタ１０を組み付ける際には、フィルタ１０を上側ケーシング部材３０の段部３２ｄに入れていくとともに、上側ケーシング部材３０の係合凸部３５をフィルタ１０の係合孔１２に挿入して係合させる。さらに、上側ケーシング部材３０の係合爪部３６をフィルタ１０の爪挿入孔１３に挿入して係合爪部３６の突起部３６ｂをフィルタ１０に係合させる。フィルタ１０が上側ケーシング部材３０から外れなくなる。
【００４５】
そして、図１０に示すように、上側ケーシング部材３０の上側溶着用突条部３２ｃと、下側ケーシング部材４０の下側溶着部４２ｃとを溶着する。溶着方法としては、例えば熱板溶着法や振動溶着法等を使用することができる。このとき、同時に、上側溶着用突条部３２ｃと下側溶着部４２ｃと、フィルタ１０の外周側及び係合凸部３５とを溶着する。このように、上側ケーシング部材３０の上側溶着用突条部３２ｃと、下側ケーシング部材４０の下側溶着部４２ｃを溶着するだけでなく、フィルタ１０の外周側及び係合凸部３５も溶着しているので、フィルタ１０がケーシング３に強固に固定される。
【００４６】
以上のようにして得られたオイルストレーナ１を使用する場合について説明すると、オイルパンに貯留されているオイルは、ケーシング３のオイル流入孔４１ａからケーシング３のフィルタ１０よりも下側の空間に流入する。そして、上方へ流れながらフィルタ１０を通過して濾過されてケーシング３のフィルタ１０よりも上側の空間に流入する。その後、オイル流出孔３３ｃから流出してオイルポンプに吸入される。
【００４７】
オイルを濾過する際には、オイルの脈動やエンジンの振動等によってオイルストレーナ１が加振されるとともに、フィルタ１０も加振される。このとき、上側ケーシング部材３０の係合凸部３５をフィルタ１０の係合孔１２に挿入しているので、フィルタ１０がケーシング３から外れることはない。
【００４８】
したがって、この実施形態に係るオイルストレーナ１によれば、フィルタ１０の係合孔１２に上側ケーシング部材３０の係合凸部３５が挿入された状態で係合するので、フィルタ１０が外れないようにすることができる。また、上側ケーシング部材３０の上側溶着用突条部３２ｃと下側ケーシング部材４０の下側溶着部４２ｃとを、フィルタ１０の外周側及び上側ケーシング部材３０の係合凸部３５に溶着するようにしたので、フィルタ１０をケーシング３に強固に固定することができ、フィルタ１０の位置ずれを抑制できる。
【００４９】
また、図１２に示す実施形態の変形例２のように、フィルタ１０の外周側に、上側ケーシング部材３０の係合凸部３５が挿入される凹部１５を形成してもよい。この変形例２では、凹部１５内に係合孔１２が形成される。上側ケーシング部材３０の係合凸部３５がフィルタ１０の凹部１５によって覆われることになるので、未濾過のオイルが上側ケーシング部材３０の係合凸部３５近傍に流れてきた際に、そのオイルをフィルタ１０における凹部１５を形成する部分から未濾過のまま下流側へ流れてしまうのが抑制される。
【００５０】
また、図１３に示す実施形態の変形例３のように、フィルタ１０の外周側に、段部１６を形成してもよい。この段部１６は、フィルタ１０の全周に亘って形成されており、フィルタ１０における内側のオイル濾過部分がフィルタ１０の外周側よりも上に位置するようになっている。この段部１６の形成により、フィルタ１０が上側ケーシング部材３０の内面に嵌合して位置決めされるので、フィルタ１０の位置決めがより一層確実に行われる。また、熱板溶着の際に、フィルタ１０の段部１６よりも内側の部分が熱板から離れることになるので、熱によるフィルタ１０の損傷を抑制することができる。
【００５１】
また、図１４に示す実施形態の変形例４のように、フィルタ１０の外周側に、傾斜板部１７を形成し、この傾斜板部１７に当接するように上側ケーシング部材３０の内面に傾斜面３２ｄを形成してもよい。フィルタ１０の傾斜板部１７は、フィルタ１０の全周に亘って形成されており、外側へ行くほど下に位置するように傾斜している。上側ケーシング部材３０の傾斜面３２ｄも同方向に傾斜している。フィルタ１０の傾斜板部１７が上側ケーシング部材３０の傾斜面３２ｄに当接することでフィルタ１０が位置決めされる。この変形例４の場合も、変形例３と同様に、熱板溶着の際に熱によるフィルタ１０の損傷を抑制することができる。
【００５２】
また、図１５に示す実施形態の変形例５のように、フィルタ１０の外周側に、変形例３のような段部１６を形成し、この段部１６が嵌まる嵌合凹部３２ｅを上側ケーシング部材３０の内面に形成してもよい。
【００５３】
上記のように、段部１６や傾斜面３２ｄにフィルタ１０を沿わせることによって、未濾過のオイルが回り込むことによって下流側に流れていくことを防止できる。
【００５４】
また、図１６に示す実施形態の変形例６のように、フィルタ１０の外周側には、上側ケーシング部材３０の係合凸部３５が挿入される筒部１８を形成してもよい。この筒部１８は、下側（下側ケーシング部材４０側）へ突出しており、この筒部１８内に係合孔１５が形成されている。筒部１８の先端部（下端部）は開口している。上側ケーシング部材３０と下側ケーシング部材４０を溶着する際、フィルタ１０も加熱されることになるが、このときフィルタ１０の筒部１８内に位置するように係合凸部３５を形成したので、溶着時に筒部１８と係合凸部３５が上側溶着用突条部３２ｃによって溶着されて、筒部１８の先端開口を塞ぐことができ、また、フィルタ１０の外周を上側フランジ３２ｂの下面に押し付けることができるので、オイルが隙間から未濾過のままケーシング３０の下流側へ流れるのを抑制することができる。また、加熱時に網目部分の破れを抑制することも可能になる。また、係合凸部３５は筒部１８から突出していてもよい。
【００５５】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００５６】
以上説明したように、本発明に係るオイルストレーナは、例えば自動車のエンジンのオイルパンの内部に配設することができる。
【符号の説明】
【００５７】
１              オイルストレーナ
３            ケーシング
１０          フィルタ
１２          係合孔
１５          凹部
１８          筒部
３０          上側ケーシング部材（第１ケーシング部材）
３２ｃ        上側溶着用突条部（第１溶着部）
３３ｃ        オイル流出孔
３５          係合凸部
４０          下側ケーシング部材（第２ケーシング部材）
４１ａ        オイル流入孔
４２ｃ        下側溶着部（第２溶着部）
【図１】
2016114026.tif 000003
【図２】
2016114026.tif 000004
【図３】
2016114026.tif 000005
【図４】
2016114026.tif 000006
【図５】
2016114026.tif 000007
【図６】
2016114026.tif 000008
【図７】
2016114026.tif 000009
【図８】
2016114026.tif 000010
【図９】
2016114026.tif 000011
【図１０】
2016114026.tif 000012
【図１１】
2016114026.tif 000013
【図１２】
2016114026.tif 000014
【図１３】
2016114026.tif 000015
【図１４】
2016114026.tif 000016
【図１５】
2016114026.tif 000017
【図１６】
2016114026.tif 000018